(57)【要約】【課題】バンドの取り付けが容易で、且つ、バンドに強い力が加わってもバンドのはずれやケースの破損を防止し得るバンド取付構造を提供することを目的とする。【解決手段】腕時計１のケースカバー３先端のピン挿入開孔３Ｄにはバンドピン１２が挿入され、時計バンド２の先端の取付孔２Ｂにはバンドピン１１が挿入され、両ピンの両端はバンドピース１３の折曲部１３Ａのピン孔１３Ｂ、１３Ｃにそれぞれ挿入されて取り付けられる。バンドピン１３の折曲部１３Ａには、二つのバンドピン１１及び１２の両方のピン孔を設けるために、バンドピン１１、１２の軸方向と垂直な方向の幅が長く形成されることとなり、そのため、折曲部１３Ａの外方への広がりを防止でき、時計バンド２に何らかの力が加わった際でもバンドピン１１、１２のはずれを防止し得るものである。【選択図】　　　図１
2004138543.tif 000002
【特許請求の範囲】
【請求項１】
ケース本体と、このケース本体に取り付けられ先端部がバンド取付部まで延出されたケースカバーと、先端にバンドピンが挿入されるピン取付孔が設けられたバンド部材と、前記ケースカバーの前記先端部と前記バンド部材とを取り付ける固定部材とからなり、
前記固定部材は、ケースカバーの前記先端部及び前記バンド部材の前記ピン取付部を覆う平板部と、この平板部から折曲され前記ケースカバーの先端部を取り付ける第一の取付部及び前記ピン取付部の前記バンドピンを取り付ける第二の取付部が形成された折曲部とを具備したことを特徴とするバンド取付構造。
【請求項２】
前記ケースカバーの前記先端部には第二のバンドピンが取り付けられており、この第二のバンドピンが前記第一の取付部に取り付けられることを特徴とする請求項１に記載のバンド取付構造。
【請求項３】
前記ケースカバーの前記先端部には係止突部が一体的に形成されており、この係止突部が前記第一の取付部に取り付けられることを特徴とする請求項１に記載のバンド取付構造。
【請求項４】
前記固定部材の折曲部は２重構造になっており、前記第一及び第二の取付部は２重構造のうちの内側に形成されていることを特徴とする請求項１に記載のバンド取付構造。
【発明の詳細な説明】
【０００１】
【発明の属する技術分野】
本発明は、例えば腕時計、腕装着型の携帯電話やページャー或いは電子カメラ等のような腕に装着される電子機器のバンド取付構造に関する。
【０００２】
【従来の技術】
従来より、耐衝撃性を持たせた腕時計が商品化されており、これらの商品では、外部からの衝撃を緩衝させるために、ケース本体に軟質性の合成樹脂カバーを被覆させることが行われている（例えば、特許文献１参照）。
【０００３】
また、腕時計ではバンドピンを用いて時計バンドを取り付ける必要があるがバンドピンが取り付けられるケースのバンド取付部が硬質部材で出来ている場合にはバンド取り付け部に弾性力が無いためバンドピンによる取り付けが困難になり、逆に軟質部材を用いた場合には、バンド取り付け部を広げたりすることが出来るので取り付けは容易であるものの、バンドピンがはずれやすいという欠点があった。
【０００４】
このため、バンド取り付け部が軟質部材から構成されている場合には、板状の金属部材の両端を折り曲げ、この折り曲げられた部分にそれぞれバンドピンの両端を受ける開孔を設けた固定部材（バンドピース）を用いてバンドを取り付ける技術が提案されている（例えば、特許文献２参照）。
【０００５】
【特許文献１】
特開２００１−５９８７７号公報
【特許文献２】
特開２００２−３４６１７号公報
【０００６】
【発明が解決しようとする課題】
しかしながら、上述したバンドピースは、金属製で、しかもバンドピンの両端を受ける開孔を設けた幅しかないので、弾性力によって折り曲がった部分が広げられてしまいバンドピンがはずれてしまう虞れがあった。また、このようなはずれを防止するために幅広のバンドピン、或いは弾性力の少ないバンドピンを使用したとしても、バンドに強い力が作用するとケースの軟質部材からなる取り付け部が破損してしまうという欠点があった。
【０００７】
本発明は上記実情に鑑みてなされたもので、バンドの取り付けが容易で、且つ、バンドに強い力が加わってもバンドのはずれやケースの破損を防止し得るバンド取付構造を提供することを目的とする。
【０００８】
【課題を解決するための手段】
上述した課題を解決するために、請求項１の発明では、ケース本体と、このケース本体に取り付けられ先端部がバンド取付部まで延出されたケースカバーと、先端にバンドピンが挿入されるピン取付孔が設けられたバンド部材と、前記ケースカバーの前記先端部と前記バンド部材とを取り付ける固定部材とを備え、前記固定部材を、ケースカバーの前記先端部及び前記バンド部材の前記ピン取付部を覆う平板部と、この平板部から折曲され前記ケースカバーの先端部を取り付ける第一の取付部及び前記ピン取付部の前記バンドピンを取り付ける第二の取付部が形成された折曲部とから構成したことを特徴とする。
【０００９】
このような構成とすることにより、固定部材は、二つの取付部を設けるために幅広となり、そのため、折曲部の広がりを防止でき、バンドに何らかの力が加わった際でもバンドのはずれを防止し得るものである。
【００１０】
【発明の実施の形態】
以下、図面を参照して本発明の実施の形態を詳細に説明する。
【００１１】
図１は本発明のバンド取付構造を採用した腕時計１における時計バンド２の取り付け部を分解した斜視図であり、図２は時計バンド２を組み立てた際の断面図である。
【００１２】
図２に示すように、軟質性の合成樹脂からなるケースカバー３は、金属或いは硬質性の合成樹脂からなる機器ケース本体、即ち時計ケース本体４の上面全体を覆って取り付けられており、また、時計ケース本体４の上部に防水パッキン５を介して取り付けられた時計ガラス６の上部周辺も覆って、腕時計全体、特に時計ガラス６を外部の衝撃から保護するようになっている。
【００１３】
時計ケース本体４内部には、時刻をデジタル或いは指針で表示する時計モジュール７が収納されており、時計ケース本体４の下側開口部には、硬質性合成樹脂からなる防水パッキン８が、時計ケース本体４の下面４Ａと裏蓋９の周縁立ち上がり部９Ａとの間に挟まれて取り付けられている。尚、裏蓋９は、図１に示すビス部材１０によって防水パッキン８を介して時計ケース本体４にねじ止め固定されている。
【００１４】
前記防水パッキング８は、上述した時計ケース本体４の下面４Ａ　と裏蓋９の周縁立ち上がり部９Ａとの間に挟まれる枠状部８Ａと、この枠上部８Ａから１２時及び６時方向のバンド取り付け部に向けてそれぞれ延出された延出部８Ｂとが一体形成されたものである。そして前記延出部８Ｂはほぼ円柱状に構成され、中央にパンドピン挿入孔８Ｃが形成されている。
【００１５】
前記ケースカバー３には、図１に示すように、内部に図示しないスイッチ機構を備えた押釦部３Ａ、前記延出部８Ｂの上面を覆うように延出された被覆部３Ｂ、前記延出部８Ｂの両端にそれぞれ間隔を存して配置された一対の突出部３Ｃ、３Ｃ等が一体形成されており、一対の突出部３Ｃ、３Ｃにはそれぞれ前記延出部８Ｂのバンドピン挿入孔８Ｃに対向させてピン挿入開孔３Ｄ、３Ｄが形成されている。
【００１６】
時計バンド２は合成樹脂バンド、皮バンド或いはメタルバンドなどからなり、その先端は肉厚部２Ａとなっていてバンドピン１１の取付孔２Ｂが形成されている。また、肉厚部２Ａの先端には一対の突出部２Ｃ、２Ｃが一体的に形成されており、この突出部２Ｃ、２Ｃにはバンドピン挿入孔２Ｄ、２Ｄが形成されている。
【００１７】
而して、前記時計バンド２の前記突出部２Ｃ、２Ｃは、前記延出部８Ｂの両端と前記突出部３Ｃ、３Ｃとの間隙に配置されるもので、この配置によって、延出部８Ｂのバンドピン挿入孔８Ｃと、ケースカバー３の前記突出部３Ｃ、３Ｃのピン挿入開孔３Ｄ、３Ｄと、前記時計バンド２の突出部２Ｃ、２Ｃのバンドピン挿入孔２Ｄ、２Ｄとが一直線となるので、この状態でバンドピン１２が各孔を連通させて挿入される。
【００１８】
バンドピン１１及び１２が各孔に挿入された後、バンド固定部材であるバンドピース１３が、ケースカバー３の被覆部３Ｂ、突出部３Ｃ、３Ｃ及び時計バンド２の肉厚部２Ａを覆うように上方から取り付けられる。このバンドピース１３は、例えばステンレスなどのような金属からなり、平板部１３Ｄの両端に同じ方向に垂直に折り曲げられた折曲部１３Ａ、１３Ａを有し、これら折曲部１３Ａ、１３Ａにはそれぞれバンドピン１１及び１２の両端が挿入されて取付けられるピン孔１３Ｂ、１３Ｄが並列形成されており、図３はその断面図を示している。
【００１９】
上記の構成によれば、バンドピース１３は、二つのバンドピン１１及び１２の両方の取付部を設けてあるために、言い換えれば二つのバンドピン１１及び１２を固定するために幅（バンドピン１１、１２の軸方向と垂直な方向の長さ）が広く形成されることとなり、そのため、折曲部１３Ａ、１３Ａの外方への広がりを防止でき、時計バンド２に何らかの力が加わった際にバンドピンのはずれを防止し得るものである。
【００２０】
また、バンドピース１３は、軟質のケースカバー３の先端部である突出部３Ｃ、３Ｃ及び被覆部３Ｂを覆って取り付けられるため、ケースカバー３を時計ケース本体４に良好に固定できるものである。特に、ケースカバー３に押釦部３Ａを一体形成してある場合、ケースカバー３が時計ケース本体４に固定されていないと押釦の入力動作に支障を来すものであるが、本構成においては、ケースカバー３の先端部がバンドピース１３によって固定されているため押釦部３Ａでのずれなどが発生することがないものである。
【００２１】
さらに、上記の構成によれば、バンドピン１２は軟質のケースカバー３の先端である突出部３Ｃ、３Ｃに挿入されているが、バンドピン１２の中央部は硬質性合成樹脂からなる防水パッキン８から延出された延出部８Ｂに挿入されているので、時計バンド２が引っ張られることによりバンドピース１３を介してバンドピン１２に力が加わっても、バンドピン１２は硬質の延出部８Ｂによって移動が阻止され、軟質の突出部３Ｃ、３Ｃに力が加わらないのでこの突出部３Ｃ、３Ｃの破損を防止し得るものである。
【００２２】
図４は、バンドピース１３の変形例を示している。すなわち、図３に示したバンドピース１３は、折曲部１３Ａ、１３Ａにそれぞれバンドピン１１及び１２の両端が挿入されるピン孔１３Ｂ、１３Ｃを形成したが、図４に示すバンドピース１４は折曲部１４Ａ、１４Ａの長さを、両者を結合する平板部１４Ｂの幅の長さより長く形成し、折曲部１４Ａ、１４Ａのピン孔１４Ｃ、１４Ｄが形成された部分を矢印Ｘの方向、即ち平板部１４Ｂの下方に折り込むようにして２重構造にしたものである。この場合、図５の断面図で示すように、折り曲げられた部分は、折り曲げられていない部分と若干の間隙を有するようにしている。このようにすることにより、バンドピン１１、１２の端部をピン孔１４Ｃ、１４Ｄに深く挿入させることが出来、はずれにくくし得るものである。
【００２３】
図６に示すバンドピース１５は、折曲部１５Ａを長くしてその下方部分１５Ｂを上方に折り曲げ２重構造にしたものである。この場合においても折曲部１５Ｂは、折曲部１５Ａと間隔を存して折り曲げてあるのでバンドピン１１或いは１２はピン孔１５Ｃに深く挿入できるものである。
【００２４】
図７に示すバンドピース１６は、同様に折曲部１６Ａの下方部分の折曲部１６Ｂを上方に折り曲げたものであるが、折曲部１６Ａは、垂線に対して傾斜して折り曲げられている。このような状態であっても、折曲部１６Ｂはほぼ垂線に沿って折り曲げることが出来るので、良好にバンドピンを取り付けられるものである。
【００２５】
上記のバンドピース１４、１５、１６において、折曲部１４Ａ、１４Ａ（或いは折曲部１５Ａ、１５Ａ、折曲部１６Ａ、１６Ａ）が互いに平行でない場合には、同じ長さのバンドピン１１、１２を用いると、どちらか一方のバンドピンがはずれ易くなるが、上記の様に２重構造にすることにより折り込まれた部分が平行に出来るのでバンドピン１１、１２の両方を良好に取り付けることが出来るものである。
【００２６】
また、上記２重構造とすることにより、バンドピースのバンドピン取付孔が外から見えなくなるため、意匠的にも優れたものとなる。
【００２７】
図８は、上述した実施の形態の変形例を示しており、図１に示した構成と同一構成部には同一符号を付してその詳細な説明は省略する。
【００２８】
然して、この変形例においては、突出部３Ｃ、３Ｃ、延出部８Ｂ、突出部２Ｃ、２Ｃにはバンドピン挿入用の孔が形成されていない。代わりに、突出部３Ｃ、３Ｃには、外方向に向けて係止突部３Ｅが一体的に設けられている。また、バンドピース１３には、前記係止突部３Ｅが挿入される開孔１３Ｄが形成されている。
【００２９】
この構成によれば、突出部３Ｃとバンドピース１３とを結合する係止突部３Ｅと開孔１３Ｄとを大きくできるので両者の強固な固定が可能になるものである。また、係止突部３Ｅをカラー化することによりデザイン性を高めることも出来る。
【００３０】
なお、上述した実施の形態では、腕時計のバンド取付構造に関して説明したが、本発明はこれに限らず、例えば腕装着型の携帯電話やページャー或いは腕装着型の送受信機や電子カメラ等のような、腕に装着される電子機器全般のバンド取付構造に適用できるものである。
【００３１】
【発明の効果】
本発明によれば、ケース本体を覆うケースカバーとバンドとを固定部材の２カ所で取りつけるようにようにしているため、固定部材が幅広となり、取付部分の外方への広がりを防止でき、バンドピンのはずれを防止でき、また、固定部材はケースカバーの先端部を覆って取り付けられるため、ケースカバーをケース本体４に良好に固定できるという効果を有するものである。
【図面の簡単な説明】
【図１】本発明による実施の形態の斜視図である。
【図２】図１の部分断面図である。
【図３】図１に記載されたバンドピースの断面図である。
【図４】バンドピースの他の例の斜視図である。
【図５】図４のバンドピースの断面図である。
【図６】バンドピースの他の例の断面図である。
【図７】バンドピースのさらに他の例の断面図である。
【図８】本発明の他の実施の形態を示す斜視図である。
【符号の説明】
１　　腕時計
２　　時計バンド
２Ｂ　取付孔
３　　ケースカバー
３Ｃ　突出部
４　　時計ケース本体
６　　時計ガラス
８　　防水パッキン
８Ｂ　延出部
９　　裏蓋
１１、１２　バンドピン
１３　　バンドピース
１３Ａ　折曲部
１３Ｂ、１３Ｃ　ピン孔
【図１】
2004138543.tif 000003
【図２】
2004138543.tif 000004
【図３】
2004138543.tif 000005
【図４】
2004138543.tif 000006
【図５】
2004138543.tif 000007
【図６】
2004138543.tif 000008
【図７】
2004138543.tif 000009
【図８】
2004138543.tif 000010